【手続補正書】
【提出日】平成15年10月30日(2003.10.30)
【手続補正１】
【補正対象書類名】明細書
【補正対象項目名】発明の名称
【補正方法】変更
【補正の内容】
【発明の名称】用紙搬送装置および画像形成装置


【手続補正２】
【補正対象書類名】明細書
【補正対象項目名】特許請求の範囲
【補正方法】変更
【補正の内容】
【特許請求の範囲】
【請求項１】
搬送路上で用紙を搬送する搬送手段と、
前記搬送路上の所定位置で用紙の幅方向の位置を規正する規正手段であって、前記幅方向に移動可能な規正部材を有する規正手段と、
前記搬送路上の所定位置で前記用紙の幅方向の位置を規正すべく、第１の用紙が前記所定位置に搬送される以前の所定タイミングで前記規正部材の移動を開始させるよう前記規正手段を制御する制御手段とを有し、
前記制御手段は、前記第１の用紙に先行して前記搬送路上で搬送される第２の用紙のサイズに応じて、前記所定タイミングを異ならせることを特徴とする用紙搬送装置。
【請求項２】
前記第２の用紙のサイズとは、前記第２の用紙の用紙幅であることを特徴とする請求項１に記載の用紙搬送装置。
【請求項３】
前記制御手段は、前記第２の用紙の用紙幅が前記第１の用紙の用紙幅より広い場合と、前記第２の用紙の用紙幅と前記第１の用紙の用紙幅が等しい場合とで前記所定タイミングを異ならせることを特徴とする請求項２に記載の用紙搬送装置。
【請求項４】
前記搬送手段は、前記第１の用紙のサイズが前記第１の用紙に先行して前記搬送路上で搬送される第２の用紙のサイズに応じて、前記用紙の搬送速度を異ならせることを特徴とする請求項１又は２のいずれかに記載の用紙搬送装置。
【請求項５】
前記搬送手段は、前記第２の用紙の用紙幅が前記第１の用紙の用紙幅より広い場合と、前記第２の用紙の用紙幅と前記第１の用紙の用紙幅が等しい場合とで前記用紙の搬送速度を異ならせることを特徴とする請求項４に記載の用紙搬送装置。
【請求項６】
用紙に画像を形成する画像形成手段と、
前記画像形成手段により画像形成された用紙を反転させる用紙反転手段と、
前記用紙反転手段により反転される用紙に前記画像形成手段により画像形成させるべく、前記用紙を搬送路上で搬送する搬送手段と、
前記搬送路上の所定位置で用紙の幅方向の位置を規正する規正手段であって、前記幅方向に移動可能な規正部材を有する規正手段と、
前記搬送路上の所定位置で前記用紙の幅方向の位置を規正すべく、第１の用紙が前記所定位置に搬送される以前の所定タイミングで前記規正部材の移動を開始させるよう前記規正手段を制御する制御手段とを有し、
前記制御手段は、前記第１の用紙に先行して前記搬送路上で搬送される第２の用紙のサイズに応じて、前記所定タイミングを異ならせることを特徴とする画像形成装置。
【請求項７】
前記第２の用紙のサイズとは、前記第２の用紙の用紙幅であることを特徴とする請求項６に記載の画像形成装置。
【請求項８】
前記制御手段は、前記第２の用紙の用紙幅が前記第１の用紙の用紙幅より広い場合と、前記第２の用紙の用紙幅と前記第１の用紙の用紙幅が等しい場合とで前記所定タイミングを異ならせることを特徴とする請求項７に記載の画像形成装置。
【請求項９】
前記搬送手段は、前記第１の用紙のサイズが前記第１の用紙に先行して前記搬送路上で搬送される第２の用紙のサイズに応じて、前記用紙の搬送速度を異ならせることを特徴とする請求項６又は７のいずれかに記載の画像形成装置。
【請求項１０】
前記搬送手段は、前記第２の用紙の用紙幅が前記第１の用紙の用紙幅より広い場合と、前記第２の用紙の用紙幅と前記第１の用紙の用紙幅が等しい場合とで前記用紙の搬送速度を異ならせることを特徴とする請求項９に記載の画像形成装置。
【手続補正３】
【補正対象書類名】明細書
【補正対象項目名】０００１
【補正方法】変更
【補正の内容】
【０００１】
【発明の属する技術分野】
本発明は、用紙搬送装置および画像形成装置に関するものである。


【手続補正４】
【補正対象書類名】明細書
【補正対象項目名】０００７
【補正方法】変更
【補正の内容】
【０００７】
よって本発明の目的は、上述の問題点に鑑み、先行する用紙の後端に傷がついたり、先行する用紙が斜行したりすることのない用紙搬送装置を提供することにある。
本発明の他の目的は、先行する用紙の後端に傷がついたり、先行する用紙が斜行したりすることのない画像形成装置を提供することにある。


【手続補正５】
【補正対象書類名】明細書
【補正対象項目名】０００８
【補正方法】変更
【補正の内容】
【０００８】
【課題を解決するための手段】
上記の目的を達成するために、請求項１に係る本発明は、搬送路上で用紙を搬送する搬送手段と、前記搬送路上の所定位置で用紙の幅方向の位置を規正する規正手段であって、前記幅方向に移動可能な規正部材を有する規正手段と、前記搬送路上の所定位置で前記用紙の幅方向の位置を規正すべく、第１の用紙が前記所定位置に搬送される以前の所定タイミングで前記規正部材の移動を開始させるよう前記規正手段を制御する制御手段とを有し、前記制御手段は、前記第１の用紙に先行して前記搬送路上で搬送される第２の用紙のサイズに応じて、前記所定タイミングを異ならせることを特徴とする用紙搬送装置である。
請求項２に係る本発明は、請求項１に記載の用紙搬送装置において、前記第２の用紙のサイズとは、前記第２の用紙の用紙幅である。
請求項３に係る本発明は、請求項２に記載の用紙搬送装置において、前記制御手段は、前記第２の用紙の用紙幅が前記第１の用紙の用紙幅より広い場合と、前記第２の用紙の用紙幅と前記第１の用紙の用紙幅が等しい場合とで前記所定タイミングを異ならせる。
請求項４に係る本発明は、請求項１又は２のいずれかに記載の用紙搬送装置において、前記搬送手段は、前記第１の用紙のサイズが前記第１の用紙に先行して前記搬送路上で搬送される第２の用紙のサイズに応じて、前記用紙の搬送速度を異ならせる。
請求項５に係る本発明は、請求項４に記載の用紙搬送装置において、前記搬送手段は、前記第２の用紙の用紙幅が前記第１の用紙の用紙幅より広い場合と、前記第２の用紙の用紙幅と前記第１の用紙の用紙幅が等しい場合とで前記用紙の搬送速度を異ならせる。
請求項６に係る本発明は、用紙に画像を形成する画像形成手段と、前記画像形成手段により画像形成された用紙を反転させる用紙反転手段と、前記用紙反転手段により反転される用紙に前記画像形成手段により画像形成させるべく、前記用紙を搬送路上で搬送する搬送手段と、前記搬送路上の所定位置で用紙の幅方向の位置を規正する規正手段であって、前記幅方向に移動可能な規正部材を有する規正手段と、前記搬送路上の所定位置で前記用紙の幅方向の位置を規正すべく、第１の用紙が前記所定位置に搬送される以前の所定タイミングで前記規正部材の移動を開始させるよう前記規正手段を制御する制御手段とを有し、前記制御手段は、前記第１の用紙に先行して前記搬送路上で搬送される第２の用紙のサイズに応じて、前記所定タイミングを異ならせることを特徴とする画像形成装置である。
請求項７に係る本発明は、請求項６に記載の画像形成装置において、前記第２の用紙のサイズとは、前記第２の用紙の用紙幅である。
請求項８に係る本発明は、請求項７に記載の画像形成装置において、前記制御手段は、前記第２の用紙の用紙幅が前記第１の用紙の用紙幅より広い場合と、前記第２の用紙の用紙幅と前記第１の用紙の用紙幅が等しい場合とで前記所定タイミングを異ならせる。
請求項９に係る本発明は、請求項６又は７のいずれかに記載の画像形成装置において、前記搬送手段は、前記第１の用紙のサイズが前記第１の用紙に先行して前記搬送路上で搬送される第２の用紙のサイズに応じて、前記用紙の搬送速度を異ならせる。
請求項１０に係る本発明は、請求項９に記載の画像形成装置において、前記搬送手段は、前記第２の用紙の用紙幅が前記第１の用紙の用紙幅より広い場合と、前記第２の用紙の用紙幅と前記第１の用紙の用紙幅が等しい場合とで前記用紙の搬送速度を異ならせる。


【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００８０
【補正方法】変更
【補正の内容】
【００８０】
【発明の効果】
以上に説明したように、本発明によれば、第１の用紙に先行して搬送路上で搬送される第２の用紙のサイズに応じて、規正部材の移動を開始させる所定タイミングを異ならせるので、先行する用紙の後端に傷がついたり、先行する用紙が斜行したりすることのない用紙搬送装置を提供することができる。
また、本発明によれば、第１の用紙に先行して搬送路上で搬送される第２の用紙のサイズに応じて、規正部材の移動を開始させる所定タイミングを異ならせるので、先行する用紙の後端に傷がついたり、先行する用紙が斜行したりすることのない画像形成装置を提供することができる。


【手続補正１４】
【補正対象書類名】明細書
【補正対象項目名】００８１
【補正方法】削除
【補正の内容】